(57)【要約】      （修正有）【課題】好ましい信号伝送効果と干渉を防ぐ効果が得られ、且つ組み立て作業の容易な伝送媒介具を提供する【解決手段】外部が絶縁層で被覆され、かつ内部にコアを具える信号線を内部に複数含む伝送ケーブルと、該伝送ケーブルの両端に設けられるプラグベースであって、一体成形され、両端縁部に該伝送ケーブルを挿入する挿入端と、該信号線が貫通する貫通孔を穿設してなる接続端とをそれぞれ形成し、かつ内部に収納空間を有し、外部の該挿入端に近接した位置に位置決めチップを設け、該接続端に近接した位置には複数の位置決め溝を形成してなるプラグベースと、該プラグベースの接続端の外部に設けるベースカバーと、位置決め溝に対応する一端において該信号線に刺さり、該信号線のコアに接触する尖頭状の挿入ピンを具え、該プラグベースの接続端の位置決め溝内に挿入する接続チップとによって構成する。【選択図】図２
0003110024.tif 000002
【実用新案登録請求の範囲】
【請求項１】
外部が絶縁層で被覆され、かつ内部にコアを具える信号線を内部に複数含む伝送ケーブルと、
該伝送ケーブルの両端に設けられるプラグベースであって、一体成形され、両端縁部に該伝送ケーブルを挿入する挿入端と、該信号線が貫通する貫通孔を穿設してなる接続端とをそれぞれ形成し、かつ内部に収納空間を有し、外部の該挿入端に近接した位置に位置決めチップを設け、該接続端に近接した位置には複数の位置決め溝を形成してなるプラグベースと、
該プラグベースの接続端の外部に設けるベースカバーと、
位置決め溝に対応する一端において該信号線に刺さり、該信号線のコアに接触する尖頭状の挿入ピンを具え、該プラグベースの接続端の位置決め溝内に挿入する接続チップとを具えることを特徴とするネットワーク伝送媒介具。
【請求項２】
前記接続チップが、該位置決め溝に挿入した後、一端が該プラグベースの外部に凸状に設けられることを特徴とする請求項１に記載のネットワーク伝送媒介具。
【請求項３】
前記ベースカバーが該接続端に形成する貫通孔を被覆することを特徴とする請求項１に記載のネットワーク伝送媒介具。
【考案の詳細な説明】
【技術分野】
【０００１】
この考案は通信ネットワークの伝送媒介技術に関し、特にプラグと伝送線の接続を簡易な操作で行うことのできるネットワーク伝送媒介具に関する。
【背景技術】
【０００２】
情報技術と関連産業の発展により、情報時代といわれるようになった今日において、特にインターネットは生活の必需品となった感がある。インターネットを利用することによって、資料の検索、送信を簡易な操作でより早く行うことができるようになった。また、インターネットは資料の検索、送信以外に、国際間で、もしくは遠隔地とオンラインで会議を行うこができる。これは彼我の距離を短縮するのみならず、互いに必要とする情報を迅速に伝達できるという効果を提供するものである。
【０００３】
インターネットを利用する場合、本体で受信する以外に、電信業者によって信号の伝送を行う必要があるが、さらに重要なことは、ネットワーク伝送の媒介具を介して情報を伝送することである。  
【０００４】
ネットワーク伝送媒介具の良し悪しは、伝送速度の速さが決まる原因の一となる。ネットワーク伝送媒介具は、無線送信と、有線送信の二種類に分けられる。無線ネットワークは特定の伝送ユニットを介して、はじめて送信と受信を行うことができる。
【０００５】
有線送信は、回線に接続して送信と受信の効果が得られる。回線以外に両端の本体に設ける接続媒介具を介して情報の受信と送信を行う。現有する優先伝送媒介具は、図１に開示するように伝送線をプラグのベース内に設けた内スリーブＡに固定する該内スリーブＡには伝送線内の信号線１１が貫通する貫通溝Ａ１を形成する。同時に中央の貫通溝Ａ１の上方には凹溝Ａ２を形成する。このため、信号線１１を貫通溝Ａ１と凹溝Ａ２に設けて、プラグ内のベースに挿設することができる。
【０００６】
但し、上述する方法は、信号線１１を貫通溝Ａ１と凹溝Ａ２内に設けるだけであって、これらを効率よく固定することができない。しかも長すぎる（訳１３ｍｍ以上）。信号線１１は、伝送線内においてツイスト状を呈するように構成される。よって、信号線１１の外部に露出する長さが長くなるにつれてツイストする感覚も大きくなり、信号伝送の効果も遅くなり、かつ干渉を受け易くなる。
【０００７】
また、組み立てる場合凹溝Ａ２に設ける信号線１１は、下方に曲げて貫通溝Ａ１を貫通する信号線１１と併せ、内スリーブとともにプラグのベース内に挿設することができる。よって、凹溝Ａ２の信号線１１を効率良く固定することができず、組み立てる上で不便になり、往々にして伝送媒介具の損傷を招く。さらに、短絡の発生、酸化の抑制、水分の浸食をなどを防ぐための効率よい方法が考慮されていない。したがって、組み立てが容易で便利な伝送媒介具を提供することが望まれている。
【考案の開示】
【考案が解決しようとする課題】
【０００８】
この考案は、好ましい信号伝送効果と干渉を防ぐ効果が得られ、且つ組み立て作業の容易な伝送媒介具を提供することを課題とする。
【課題を解決するための手段】
【０００９】
そこで、本考案者は従来の技術に見られる欠点に鑑み鋭意研究を重ねた結果、外部が絶縁層で被覆され、かつ内部にコアを具える信号線を内部に複数含む伝送ケーブルの両端にプラグベースを設け、該プラグベースは両端縁部に該伝送ケーブルを挿入する挿入端と、該信号線が貫通する貫通孔を穿設してなる接続端とをそれぞれ具え、かつ内部に収納空間を有し、外部の該挿入端に近接した位置に位置決めチップを設け、該接続端に近接した位置には複数の位置決め溝を形成してなり、該プラグベースの接続端の外部にベースカバーを設け、該プラグベースの接続端の位置決め溝内に、該信号線に刺さり、該信号線のコアに接触する尖頭状の挿入ピンを具える接続チップを挿入してなるネットワーク伝送媒介具の構造によって課題を解決できる点に着眼し、かかる知見に基づいて本考案を完成させた。
以下、この考案について具体的に説明する。
【００１０】
請求項１に記載するネットワーク伝送媒介具は、外部が絶縁層で被覆され、かつ内部にコアを具える信号線を内部に複数含む伝送ケーブルと
該伝送ケーブルの両端に設けられるプラグベースであって、一体成形され、両端縁部に該伝送ケーブルを挿入する挿入端と、該信号線が貫通する貫通孔を穿設してなる接続端とをそれぞれ形成し、かつ内部に収納空間を有し、外部の該挿入端に近接した位置に位置決めチップを設け、該接続端に近接した位置には複数の位置決め溝を形成してなるプラグベースと、
該プラグベースの接続端の外部に設けるベースカバーと、
位置決め溝に対応する一端において該信号線に刺さり、該信号線のコアに接触する尖頭状の挿入ピンを具え、該プラグベースの接続端の位置決め溝内に挿入する接続チップとを具える。
【００１１】
請求項２に記載するネットワーク伝送媒介具は、請求項１における接続チップが、該位置決め溝に挿入した後、一端が該プラグベースの外部に凸状に設けられる。
【００１２】
請求項３に記載するネットワーク伝送媒介具は、請求項１におけるベースカバーが該接続端に形成する貫通孔を被覆する。
【考案の効果】
【００１３】
この考案によるネットワーク伝送媒介具は、好ましい信号伝送効果と干渉を防ぐ効果が得られるとともに、且つ組み立て作業が容易になり、生産性を高めるという利点がある。
【考案を実施するための最良の形態】
【００１４】
図２、図３に開示するように、この考案によるネットワーク伝送媒介具は、伝送ケーブル１０と、プラグベース２０と、ベースカバー３０と、及び複数の接続チップ４０とを含み構成される。
【００１５】
伝送ケーブル１０は複数の信号線１１を含み、それぞれの信号線１１は外部を絶縁層１２で被覆し、かつ内部にコア１３を設けてなる。また、信号線１１は伝送ケーブル１０内においてツイスト状を呈する。
【００１６】
プラグベース２０は伝送ケーブル１０の両端にそれぞれ接続する。プラグベース２０は一体に成形されてなり、両端縁部には伝送ケーブル１０の挿入に供する挿入端２１と、信号線１１を貫通させる貫通孔２３を穿設して構成する接続端２２とをそれぞれ形成する。また、内部には収納空間を形成し、かつ外部の挿入端１に近接した位置に位置決めチップ２４を設け、接続端２２に近接した位置には複数の位置決め溝２５を形成する。
【００１７】
ベースカバー３０は、プラグベース２０の接続端２２を外方向から覆うものであって、接続端２２の貫通孔２３を被覆することによって、酸化、水分の浸入などによって発生する短絡現象を防ぐことを目的とする。
【００１８】
図４に開示するように、接続チップ４０はプラグベース２０の位置決め溝２５に挿設し、位置決め溝２５に対応する一端に尖頭状の挿入ピン４１を複数設ける。挿入ピン４１はプラグベース２０の内部において信号線１１に突き刺さり、信号線１１内のコア１３に接触する。
【００１９】
図５に開示するように、伝送ケーブル１０の信号線１１は、引っ張って真っ直ぐにして、プラグベース２０の挿入端２１からプラグベース２０の収納空間内に挿入する。同時に、それぞれの信号線１１は、貫通孔２３を貫通させてプラグベース２０の接続端２２の外部に凸状に設ける。さらに、プラグベース２０の接続端２２の外部に凸状に設けた信号線１１は、プラグベース２０の接続端２２の外側の平面に揃うように切断して調整する。同時に位置決めチップを内部に押し込み、伝送線１０をプラグベース２０内に固定する。ベースカバー３０はプラグベース１０の接続端の外部に設け、最後にそれぞれの接続チップ４０を位置決め溝２５内に挿入し、尖頭状の挿入ピン４１によってプラグベース２０内の信号線１１を被覆する絶縁層１２を突き破り、コア１３に接触させる。
【００２０】
したがって、それぞれの接続チップ４０は位置決め溝２５内に固定され、同時に接続チップ４０を位置決め溝２５の外部に凸状に設けることができる。
【００２１】
プラグベース２０の接続端２３を本体５０の接続溝５１に接続する場合、プラグベース２０の外部に凸状に設けた接続チップ４０を接続溝５１内の端子５２に接触させ、電気的に接続した状態にする。同時に接続チップ４０によって受信、もしくは送信する信号を信号線１１のコア１３に伝送され、信号を受信するか、もしくは信号を伝送ケーブル１０の他端に送信する。よって、伝送ケーブル１０は両端に設けるプラグベース２０によって、振動の送信、もしく受信の効果を達成することができる。
【００２２】
ここで注意すべき点は、図３、図６に開示するように、信号線１１がプラグベース２０内を貫通して、信号線１１がプラグベース２０の外部に凸状に設けられる点と、同時に外部において信号線１１を引っ張って真っ直ぐにする場合、信号線１１は伝送ケーブル１０内においてツイスト状を呈するため、信号線１１を外部方向から引っ張ることによってツイストのピッチを短縮させることができるという点である。また、信号線１１の外部に露出する長さは約６．４ｍｍに保持することができ、干渉を防ぐ効果を増強することができる。
【００２３】
さらに、上述する方式は伝送ケーブル１０とプラグベース２０とを組み立てる場合に便利であって、組み立て作業に必要とする時間を短縮することができる。よって、伝送媒介具の伝送効果を確保するとともに、生産性を高めるという効果を有する。
【００２４】
以上は、この考案の好ましい実施例であって、この考案の実施の範囲を限定するものではない。よって、当業者のなしえる修正、もしくは変更であって、この考案の精神に基づきなされ、かつこの考案に対して均等の効果を有するものは、いずれもこの考案の実用新案登録請求の範囲に属するものとする。
【図面の簡単な説明】
【００２５】
【図１】従来のネットワーク伝送媒介手段の説明図である。
【図２】この考案によるネットワーク伝送媒介手段の説明図である。
【図３】図２に開示するネットワーク伝送媒介手段の分解図である。
【図４】この考案における接続チップの説明である。
【図５】この考案によるネットワーク伝送媒介手段の断面説明図である。
【図６】この考案において信号線とプラグベースとを設けた状態の断面説明図である。
【符号の説明】
【００２６】
Ａ                     内スリーブ
Ａ１                  貫通溝
Ａ２                  凹溝
１０                  伝送ケーブル
１１                  信号線
１２                  絶縁層
１３                  コア
２０                  プラグベース
２１                  挿入端
２２                  接続端
２３                  貫通孔
２４                  位置決めチップ
２５                  位置決め溝
３０                  ベースカバー
４０                  接続チップ
４１                  挿入ピン
５０                  本体
５１                  本体
５２                  端子
【図１】
0003110024.tif 000003
【図２】
0003110024.tif 000004
【図３】
0003110024.tif 000005
【図４】
0003110024.tif 000006
【図５】
0003110024.tif 000007
【図６】
0003110024.tif 000008